(57)【特許請求の範囲】
【請求項１】
集合住宅の各棟のフロア毎に設置され来訪者が居住者を呼び出して通話を成立させ、フロアドア（２ａ、２ａ、・・・、２ｂ、２ｂ、・・・）の電気錠（２０）を解錠するための棟集合玄関機（３ａ、３ａ、・・・、３ｂ、３ｂ、・・・）と、前記棟集合玄関機からの呼び出しが報知され、前記居住者が前記来訪者との間で通話を成立させるための居室親機（１ａ、１ａ、・・・、１ｂ、１ｂ、・・・）と、前記棟集合玄関機および前記居室親機を制御するための棟制御機（４ａ、４ａ、・・・、４ｂ、４ｂ、・・・）と、前記居室親機全てが前記来訪者からの呼び出しの対象とされ、前記来訪者が前記居住者との間で通話を成立させ、エントランスドア（５ａ、５ｂ）の電気錠（５０）を解錠するための集中集合玄関機（６ａ、６ｂ）と、前記棟制御機および前記集中集合玄関機を制御するための集中制御機（７）とを備え、
前記集中制御機は、前記集中集合玄関機から予め定められた居室親機への呼び出しの対象として許可する前記棟制御機の設定情報を記憶するための記憶部（７０）を有し、
前記棟制御機は、前記集中制御機の記憶部に記憶された前記設定情報をもとに、前記集中集合玄関機からの呼び出しの対象として許可された棟制御機により制御される前記居室親機にのみ前記来訪者からの呼び出しを報知するための制御回路（４０）を有することを特徴とする集合住宅インターホンシステム。
【請求項２】
前記集中制御機は、前記集中集合玄関機からの呼び出しの対象が前記集中制御機の記憶部に記憶された前記設定情報と不一致のとき、前記来訪者からの呼び出しが拒否されたことを前記集中集合玄関機にて報知するための制御回路（７１）を有することを特徴とする請求項１記載の集合住宅インターホンシステム。
【請求項３】
前記記憶部は、前記集中制御機に代えて前記棟制御機に備えられていることを特徴とする請求項１または請求項２記載の集合住宅インターホンシステム。
【請求項４】
集合住宅の各棟のフロア毎に設置され来訪者が居住者を呼び出して通話を成立させ、フロアドア（２ａ、２ａ、・・・、２ｂ、２ｂ、・・・）の電気錠（２０）を解錠するための棟集合玄関機（３ａ、３ａ、・・・、３ｂ、３ｂ、・・・）と、前記棟集合玄関機からの呼び出しが報知され、前記居住者が前記来訪者との間で通話を成立させるための居室親機（１ａ、１ａ、・・・、１ｂ、１ｂ、・・・）と、前記棟集合玄関機および前記居室親機を制御するための棟制御機（４ａ、４ａ、・・・、４ｂ、４ｂ、・・・）と、前記居室親機全てが前記来訪者からの呼び出しの対象とされ、前記来訪者が前記居住者との間で通話を成立させ、エントランスドア（５ａ、５ｂ）の電気錠（５０）を解錠するための集中集合玄関機（６ａ、６ｂ）と、前記棟制御機および前記集中集合玄関機を制御するための集中制御機（７）とを備え、
前記棟制御機は、前記棟集合玄関機または前記集中集合玄関機からの呼び出しの対象として許可する前記居室親機の設定情報を記憶するための記憶部（４５）を有し、
前記棟制御機は、前記棟制御機の記憶部に記憶された前記設定情報をもとに、前記棟集合玄関機または前記集中集合玄関機からの呼び出しの対象として許可された前記居室親機にのみ前記来訪者からの呼び出しを報知するための制御回路（４０）を有することを特徴とする集合住宅インターホンシステム。
【請求項５】
前記棟制御機は、前記棟集合玄関機からの呼び出しの対象が前記棟制御機の記憶部に記憶された前記設定情報と不一致のとき、前記来訪者からの呼び出しが拒否されたことを前記棟集合玄関機にて報知するための制御回路（４０）を有することを特徴とする請求項４記載の集合住宅インターホンシステム。
【請求項６】
前記集中制御機は、前記集中集合玄関機からの呼び出しの対象が前記棟制御機の記憶部に記憶された前記設定情報と不一致のとき、前記来訪者からの呼び出しが拒否されたことを前記集中集合玄関機にて報知するための制御回路（７１）を有することを特徴とする請求項４記載の集合住宅インターホンシステム。
【請求項７】
前記記憶部は、前記棟制御機に代えて前記集中制御機に備えられていることを特徴とする請求項４乃至請求項６のうち何れか１項記載の集合住宅インターホンシステム。
【請求項８】
前記集中制御機は、前記集中集合玄関機において呼び出しの対象が前記設定情報と不一致のとき、前記来訪者に対して正しい前記集中集合玄関機を報知部（６１、６３）にて案内するための制御回路（７１）を有することを特徴とする請求項１乃至請求項７のうち何れか１項記載の集合住宅インターホンシステム。
【発明の詳細な説明】
【技術分野】
【０００１】
本発明は、マンション等の集合住宅に設置される集合住宅インターホンシステムに係り、特に、来訪者から所望の居住者への呼び出しを制限する機能を備えた集合住宅インターホンシステムに関する。
【背景技術】
【０００２】
従来から、複数の棟を有する大規模の集合住宅における呼出時等の操作性および利便性の向上とともに視認性の向上が図れた集合住宅システムが開示されている（例えば、特許文献１を参照。）。
【０００３】
特許文献１の集合住宅システムによれば、集中制御機を介して複数の棟内の各住戸に設置された居室親機との呼び出し、通話、警報の報知を行う集中管理室親機、呼び出し、通話を行う集中集合玄関機にて、呼び出し、通話等の対象となる住戸の居室親機が設置された棟番号を入力して表示させていた。
【０００４】
【特許文献１】特開２０００−２７８４３０号公報（段落番号００１３〜００２４、第１図）
【発明の開示】
【発明が解決しようとする課題】
【０００５】
しかしながら、近年大幅に増えつつある少なくとも２棟以上の高層マンション等から構成される集合住宅に従来例の集合住宅システムを適用するにあたって、各棟のエントランス毎に設置される集中集合玄関機では、全棟のフロア毎に設置される居室親機を呼び出すことができる一方、その呼出機能として、呼出操作が行われた特定の棟の集中集合玄関機においては、関連のない他棟のフロア毎に設置される居室親機を呼び出す機能は不要であった。
【０００６】
本発明は、前述の難点を解消するためになされたもので、集中集合玄関機から居室親機への呼び出しの対象として許可する棟制御機の設定情報、棟集合玄関機または集中集合玄関機からの呼び出しの対象としての居室親機の設定情報に制限を設けた集合住宅インターホンシステムを提供することを目的としている。
【課題を解決するための手段】
【０００７】
前述の目的を達成するため、本発明の第１の態様である集合住宅インターホンシステムは、集合住宅の各棟のフロア毎に設置され来訪者が居住者を呼び出して通話を成立させ、フロアドアの電気錠を解錠するための棟集合玄関機と、棟集合玄関機からの呼び出しが報知され、居住者が来訪者との間で通話を成立させるための居室親機と、棟集合玄関機および居室親機を制御するための棟制御機と、居室親機全てが来訪者からの呼び出しの対象とされ、来訪者が居住者との間で通話を成立させ、エントランスドアの電気錠を解錠するための集中集合玄関機と、棟制御機および集中集合玄関機を制御するための集中制御機とを備えたものである。集中制御機は、集中集合玄関機から予め定められた居室親機への呼び出しの対象として許可する棟制御機の設定情報を記憶するための記憶部を有したものである。棟制御機は、集中制御機の記憶部に記憶された設定情報をもとに、集中集合玄関機からの呼び出しの対象として許可された棟制御機により制御される居室親機にのみ来訪者からの呼び出しを報知するための制御回路を有したものである。
【０００８】
また、本発明の第２の態様である集合住宅インターホンシステムは、本発明の第１の態様において、集中制御機は、集中集合玄関機からの呼び出しの対象が集中制御機の記憶部に記憶された設定情報と不一致のとき、来訪者からの呼び出しが拒否されたことを集中集合玄関機にて報知するための制御回路を有したものである。
【０００９】
また、本発明の第３の態様である集合住宅インターホンシステムは、本発明の第１の態様または第２の態様において、記憶部は、集中制御機に代えて棟制御機に備えられるものである。
【００１０】
また、本発明の第４の態様である集合住宅インターホンシステムは、集合住宅の各棟のフロア毎に設置され来訪者が居住者を呼び出して通話を成立させ、フロアドアの電気錠を解錠するための棟集合玄関機と、棟集合玄関機からの呼び出しが報知され、居住者が来訪者との間で通話を成立させるための居室親機と、棟集合玄関機および居室親機を制御するための棟制御機と、居室親機全てが来訪者からの呼び出しの対象とされ、来訪者が居住者との間で通話を成立させ、エントランスドアの電気錠を解錠するための集中集合玄関機と、棟制御機および集中集合玄関機を制御するための集中制御機とを備えたものである。棟制御機は、棟集合玄関機または集中集合玄関機からの呼び出しの対象として許可する居室親機の設定情報を記憶するための記憶部を有したものである。棟制御機は、棟制御機の記憶部に記憶された設定情報をもとに、棟集合玄関機または集中集合玄関機からの呼び出しの対象として許可された居室親機にのみ来訪者からの呼び出しを報知するための制御回路を有したものである。
【００１１】
また、本発明の第５の態様である集合住宅インターホンシステムは、本発明の第４の態様において、棟制御機は、棟集合玄関機からの呼び出しの対象が棟制御機の記憶部に記憶された設定情報と不一致のとき、来訪者からの呼び出しが拒否されたことを棟集合玄関機にて報知するための制御回路を有したものである。
【００１２】
また、本発明の第６の態様である集合住宅インターホンシステムは、本発明の第４の態様において、集中制御機は、集中集合玄関機からの呼び出しの対象が棟制御機の記憶部に記憶された設定情報と不一致のとき、来訪者からの呼び出しが拒否されたことを集中集合玄関機にて報知するための制御回路を有したものである。
【００１３】
また、本発明の第７の態様である集合住宅インターホンシステムは、本発明の第４の態様乃至請求項６のうち何れか１の態様において、記憶部は、棟制御機に代えて集中制御機に備えられるものである。
【００１４】
また、本発明の第８の態様である集合住宅インターホンシステムは、本発明の第１の態様乃至請求項７のうち何れか１の態様において、集中制御機は、集中集合玄関機において呼び出しの対象が設定情報と不一致のとき、来訪者に対して正しい集中集合玄関機を報知部にて案内するための制御回路を有したものである。
【発明の効果】
【００１５】
本発明の集合住宅インターホンシステムによれば、集中集合玄関機から予め定められた居室親機への呼び出しの対象として許可する棟制御機の設定情報を集中制御機または棟制御機の記憶部に記憶させ、棟制御機の制御回路は、記憶部に記憶された設定情報をもとに、集中集合玄関機からの呼び出しの対象として許可された棟制御機により制御される居室親機にのみ来訪者からの呼び出しを報知することができる。また、集中制御機の制御回路は、集中集合玄関機からの呼び出しの対象が記憶部に記憶された設定情報と不一致のとき、来訪者からの呼び出しが拒否されたことを集中集合玄関機の報知部にて報知させることができる。これにより、集中集合玄関機から居室親機への呼び出しの対象として許可する棟制御機の設定情報に制限が設けられることから、呼出操作が行われた集中集合玄関機からの呼び出しが呼出拒否の設定であった場合、正しい呼出元の集中集合玄関機にて呼出操作を行うように来訪者に対して促すことができる。
【００１６】
本発明の集合住宅インターホンシステムによれば、棟集合玄関機または集中集合玄関機からの呼び出しの対象として許可する居室親機の設定情報を棟制御機または集中制御機の記憶部に記憶させ、棟制御機または集中制御機の制御回路は、記憶部に記憶された設定情報をもとに、棟集合玄関機からの呼び出しの対象として許可された居室親機にのみ来訪者からの呼び出しを報知する、または集中集合玄関機からの呼び出しの対象として許可された居室親機にのみ来訪者からの呼び出しを報知することができる。また、棟制御機または集中制御機の制御回路は、棟集中玄関機または集中集合玄関機からの呼び出しの対象が記憶部に記憶された設定情報と不一致のとき、来訪者からの呼び出しが拒否されたことを（集中制御機の制御回路の制御により）棟集合玄関機または集中集合玄関機の報知部にて報知させることができる。これにより、棟集合玄関機または集中集合玄関機からの呼び出しの対象として許可する居室親機の設定情報に制限が設けられることから、呼出操作が行われた集中集合玄関機からの呼び出しが呼出拒否の設定であった場合、正しい呼出元の集中集合玄関機にて所定の呼出操作を行うように来訪者に対して促すことができる。
【発明を実施するための最良の形態】
【００１７】
以下、本発明の集合住宅インターホンシステムを適用した最良の実施の形態例について、図面を参照して説明する。
【００１８】
図１は、本発明の第１、第２の各実施例による集合住宅インターホンシステムについて、少なくとも２棟以上の高層マンション等から構成される集合住宅、ここでは、Ａ（Ａ棟）、Ｂ（Ｂ棟）の２棟の高層マンションから構成される集合住宅に設置させた場合の全体構成を示すシステム説明図である。
【００１９】
図１のシステム説明図に示す集合住宅インターホンシステムは、集合住宅を構成するＡ棟、Ｂ棟の各棟において、２階、３階、・・・のようなフロア毎の複数の住戸内、すなわち、２０１号室内、２０２号室内、・・・、３０１号室内、３０２号室内、・・・、・・・にそれぞれ設置され、個別の居室番号（詳述せず）が割り当てられており、所定の呼出操作を行った来訪者からの呼び出しが報知され、この呼び出しを確認した居住者が来訪者との間で通話を成立させるとともに、後述するフロアドア２ａ、２ａ、・・・、２ｂ、２ｂ、・・・の電気錠２０、またはエントランスドア５ａ、５ｂ、・・・の電気錠５０を解錠させるための所定の解錠操作が行われる居室親機１ａ、１ａ、・・・、１ｂ、１ｂ、・・・と、各棟（Ａ棟、Ｂ棟）のフロア毎に設置された電気錠２０を有するフロアドア２ａ、２ａ、・・・、２ｂ、２ｂ、・・・と、各棟（Ａ棟、Ｂ棟）のフロア毎に設置され、個別の棟集合玄関機番号（詳述せず）が割り当てられており、当該フロア毎の複数の住戸内（２０１号室内、２０２号室内、・・・、３０１号室内、３０２号室内、・・・、・・・）にそれぞれ在室中の居住者のうち所望の居住者を来訪者が呼び出して通話を成立させるとともに、フロントドアラインＬ2a、Ｌ2a、・・・、Ｌ2b、Ｌ2b、・・・を介して接続された（フロア毎の）フロアドア２ａ、２ａ、・・・、２ｂ、２ｂ、・・・の電気錠２０を解錠制御するたための棟集合玄関機３ａ、３ａ、・・・、３ｂ、３ｂ、・・・と、個別の棟制御機番号（詳述せず）が割り当てられており、居室親機ラインＬ1a、Ｌ1a、・・・、Ｌ1b、Ｌ1b、・・・を介して接続（バス接続）された居室親機１ａ、１ａ、・・・、１ｂ、１ｂ、・・・および棟集合玄関機ラインＬ3a、Ｌ3a、・・・、Ｌ3b、Ｌ3b、・・・を介して接続された棟集合玄関機３ａ、３ａ、・・・、３ｂ、３ｂ、・・・をそれぞれ制御するための棟制御機４ａ、４ａ、・・・、４ｂ、４ｂ、・・・と、各棟（Ａ棟、Ｂ棟）のエントランス毎に設置された電気錠５０を有するエントランスドア５ａ、５ｂと、各棟（Ａ棟、Ｂ棟）のエントランス毎に設置され個別の集中集合玄関機番号（詳述せず）が割り当てられており、前述の居室親機１ａ、１ａ、・・・、１ｂ、１ｂ、・・・全てが呼び出しの対象として予め定められ、当該フロア毎の複数の住戸内（２０１号室内、２０２号室内、・・・、３０１号室内、３０２号室内、・・・、・・・）にそれぞれ在室中の居住者のうち所望の居住者を来訪者が呼び出して通話を成立させるとともに、エントランスドアラインＬ4a、Ｌ4bを介して接続された（エントランス毎の）エントランスドア５ａ、５ｂの電気錠５０を解錠制御するための集中集合玄関機６ａ、６ｂと、棟制御機ラインＬ5を介して接続された棟制御機４ａ、４ａ、・・・、４ｂ、４ｂ、・・・および集中集合玄関機ラインＬ6a、Ｌ6bを介して接続された集中集合玄関機６ａ、６ｂをそれぞれ制御するための集中制御機７とが備えられている。
【００２０】
なお、集中制御機７には、集中管理室内に設置された集中管理室親機８を接続することができる。この集中管理室親機８は、通常、各棟（Ａ棟、Ｂ棟）のフロア毎の複数の住戸内（２０１号室内、２０２号室内、・・・、３０１号室内、３０２号室内、・・・、・・・）にそれぞれ在室中の居住者のうち所望の居住者を管理人が呼び出して通話を成立させるための機能や当該管理人が居住者に対して一斉放送を行うための機能等が備えられている。
［第１の実施例］
図２は、本発明の第１の実施例による集合住宅インターホンシステムの具体的な構成を示すブロック図である。
【００２１】
図２のブロック図において、棟集合玄関機３ａ、３ａ、・・・、３ｂ、３ｂ、・・・はそれぞれ同様な構成であり、各棟（Ａ棟、Ｂ棟）のフロア毎に居る来訪者が所望の居住者を呼び出すにあたり所定の呼出操作を行うためのキーボタン、タッチパネル等の操作部３０と、操作部３０の操作情報等を表示するためのＬＣＤ（Liquid Crystal Display）、有機ＥＬ（Electro Luminescence）ディスプレイ等の表示部３１と、操作部３１にて呼出操作を行った来訪者や各棟（Ａ棟、Ｂ棟）のフロア周囲近傍の映像を撮像するためのＣＣＤ（Charge Coupled Device）カメラ、ＣＭＯＳ（Complementary Metal Oxide Semiconductor）カメラ等の撮像部３２と、操作部３０にて呼出操作を行った来訪者が呼出先の居住者との間で通話を成立させるための音声を送受信するマイク、スピーカ等の通話部３３と、当該棟集合玄関機の構成各部／回路をそれぞれ制御するとともに、操作部３０にて呼出操作を行った来訪者からの呼び出しが拒否されたことを表示部３１および通話部３３から構成される報知部を使用して当該来訪者に報知し、さらに、フロアドア２ａ、２ａ、・・・、２ｂ、２ｂ、・・・の電気錠２０を解錠制御するための制御回路（以下、棟集合玄関機制御回路という。）３４と、棟集合玄関機制御回路３４およびフロアドアラインＬ2a、Ｌ2a、・・・、Ｌ2b、Ｌ2b、・・・の間の信号伝送路を形成するための通信回路３５と、棟集合玄関機制御回路３４および棟集合玄関機ラインＬ3a、Ｌ3a、・・・、Ｌ3b、Ｌ3b、・・・の間の信号伝送路を形成するための通信回路３６とを有している。
【００２２】
また、棟制御機４ａ、４ａ、・・・、４ｂ、４ｂ、・・・はそれぞれ同様な構成であり、当該棟制御機の構成各部／回路をそれぞれ制御するとともに、集中制御機７の後述する記憶部７０に記憶された設定情報をもとに、集中集合玄関機６ａ、６ｂからの呼び出しの対象として許可された当該棟制御機により制御される居室親機１ａ、１ａ、・・・、１ｂ、１ｂ、・・・にのみ来訪者からの呼び出しを報知するための制御回路（以下、棟制御機制御回路という。）４０と、棟制御機制御回路４０および居室親機ラインＬ1a、Ｌ1a、・・・、Ｌ1b、Ｌ1b、・・・の間の信号伝送路を形成するための通信回路４１と、棟制御機制御回路４０および棟集合玄関機ラインＬ3a、Ｌ3a、・・・、Ｌ3b、Ｌ3b、・・・の間の信号伝送路を形成するための通信回路４２と、棟制御機制御回路４０および棟制御機ラインＬ5の間の信号伝送路を形成するための通信回路４３とを有している。
【００２３】
また、集中集合玄関機６ａ、６ｂはそれぞれ同様な構成であり、各棟（Ａ棟、Ｂ棟）のエントランス毎に居る来訪者が所望の居住者を呼び出すにあたり所定の呼出操作を行うためのキーボタン、タッチパネル等の操作部６０と、操作部６０の操作情報等を表示するためのＬＣＤ、有機ＥＬディスプレイ等の表示部６１と、操作部６１にて呼出操作を行った来訪者や各棟（Ａ棟、Ｂ棟）のエントランス周囲近傍の映像を撮像するためのＣＣＤカメラ、ＣＭＯＳカメラ等の撮像部６２と、操作部６０にて呼出操作を行った来訪者が呼出先の居住者との間で通話を成立させるための音声を送受信するマイク、スピーカ等の通話部６３と、当該集中集合玄関機の構成各部／回路をそれぞれ制御するとともに、操作部６０にて呼出操作を行った来訪者からの呼び出しが拒否されたことを（集中制御機７の後述する制御回路７１の制御をもとに）表示部６１および通話部６３から構成される報知部を使用して当該来訪者に報知し、さらに、エントランスドア５ａ、５ｂの電気錠５０を解錠制御するための制御回路（以下、集中集合玄関機制御回路という。）６４と、集中集合玄関機制御回路６４およびエントランスドアラインＬ4a、Ｌ4bの間の信号伝送路を形成するための通信回路６５と、集中集合玄関機制御回路６４および集中集合玄関機ラインＬ6a、Ｌ6bの間の信号伝送路を形成するための通信回路６６とを有している。
【００２４】
さらに、集中制御機７は、集中集合玄関機６ａ、６ｂから予め定められた居室親機１ａ、１ａ、・・・、１ｂ、１ｂ、・・・への呼び出しの対象として許可する棟制御機４ａ、４ａ、・・・、４ｂ、４ｂ、・・・の設定情報、例えば、当該棟制御機に割り当てられた棟制御機番号を記憶するためのＲＯＭ（Read Only Memory）、ＲＡＭ（Random Access Memory）、ＥＥＰＲＯＭ（Electrically Erasable Programmable Read Only Memory）等の記憶部７０と、当該集中制御機の構成各部／回路をそれぞれ制御するとともに、集中集合玄関機６ａ、６ｂからの呼び出しの対象が記憶部７０に記憶された設定情報と不一致のとき、来訪者からの呼び出しが拒否されたことを集中集合玄関機６ａ、６ｂの報知部を構成する表示部６１および通話部６３を使用して当該来訪者に報知するための制御回路（以下、集中制御機制御回路という。）７１と、集中制御機制御回路７１および棟制御機ラインＬ5の間の信号伝送路を形成するための通信回路７２と、集中制御機制御回路７１および集中集合玄関機ラインＬ6a、Ｌ6bの間の信号伝送路を形成するための通信回路７３とを有している。
【００２５】
このように構成された本発明の第１の実施例による集合住宅インターホンシステムにおいて、以下、具体的な動作について図１のシステム説明図、図２のブロック図および図４（ａ）のテーブル説明図をそれぞれ参照して説明する。なお、第１の実施例の具体的な動作を説明するにあたり送受信される各種の信号は、図２のブロック図にのみ記載するものとする。
【００２６】
また、図４（ａ）のテーブル説明図とは、集中制御機７の記憶部７０に記憶される設定情報、すなわち、集中集合玄関機６ａ、６ｂから予め定められた居室親機１ａ、１ａ、・・・、１ｂ、１ｂ、・・・への呼び出しの対象として許可する棟制御機４ａ、４ａ、・・・、４ｂ、４ｂ、・・・の設定情報の一例を表すものであり、この設定情報は任意に変更可能である。
【００２７】
次に、図４（ａ）のテーブル説明図に示す設定情報が図２のブロック図に示す集中制御機７の記憶部７０に予め記憶されている状態において、第１の実施例における第１の呼出動作として、各棟（Ａ棟、Ｂ棟）のうち、ここでは、Ａ棟エントランスに居る来訪者が所望の居住者を呼び出す、例えば、Ａ棟２０１号室内に在室中の居住者を呼び出すにあたり、集中集合玄関機６ａの操作部６０を使用して所定の呼出操作を行う、例えば、操作部６０を構成するキーボタン（図示せず）を操作して呼出先の住戸の棟番号および居室番号を入力すると、これらの操作情報が集中集合玄関機制御回路６４の制御により表示部６１に表示される。また、操作部６０にて呼出操作を行った来訪者は、表示部６１の表示内容を確認した後、同様に操作部６０を構成する呼出ボタン（図示せず）を押下する。さらに、前述までの呼出操作を検出した集中集合玄関機制御回路６４では、操作部６０の操作情報である棟番号および居室番号に自集中集合玄関機に割り当てられている集中集合玄関機番号を付加させた呼出信号Ｓ1aを生成する。この呼出信号Ｓ1aは、集中集合玄関機制御回路６４から通信回路６６、集中集合玄関機ラインＬ6a、集中制御機７の通信回路７３を介して集中制御機制御回路７１へと伝送される。
【００２８】
また、集中集合玄関機６ａにおいて、操作部６０にて行われた来訪者による前述までの呼出操作を検出した集中集合玄関機制御回路６４は、撮像部６２が能動となるように制御し、呼出操作を行った来訪者（Ａ棟エントランスの周囲近傍を含む。）の映像の撮像を開始させる。この撮像部６２にて撮像された映像は、適宜、信号処理された映像信号Ｓ2aとして、前述の呼出信号Ｓ1aと同様な経路を介して集中制御機７の集中制御機制御回路７１へと伝送される。
【００２９】
集中制御機７の集中制御機制御回路７１は、集中集合玄関機６ａからの呼出信号Ｓ1aおよび映像信号Ｓ2aのうち、呼出信号Ｓ1aに付加されている棟番号、居室番号および集中集合玄関機番号をもとに、Ａ棟エントランスに居る来訪者によりＡ棟２０１号室内に在室中の居住者への呼び出しがあることを検出するとともに、呼出先の居住者の住戸であるＡ棟２０１号室内に設置された居室親機１ａを制御するＡ棟２階フロアに設置された棟制御機４ａが集中集合玄関機６ａから予め定められた当該居室親機への呼び出しの対象として許可されているか否かについて、記憶部７０に予め記憶されている設定情報を確認する。ここでは、図４（ａ）のテーブル説明図に示すように、Ａ棟２０１号室内に設置された居室親機１ａを制御するＡ棟２階フロアに設置された棟制御機４ａが集中集合玄関機６ａから予め定められた当該居室親機への呼び出しの対象として許可されていることにより、これを検出した集中制御機制御回路７１は、集中集合玄関機６ａからの呼出信号Ｓ1aに当該呼び出しが許可された当該棟制御機、ここでは、Ａ棟２階フロアに設置された棟制御機４ａの棟制御機番号を付加し、前述の映像信号Ｓ2aとともに通信回路７２、棟制御機ラインＬ5、全ての棟制御機４ａ、４ａ、・・・、４ｂ、４ｂ、・・・の通信回路４３を介して棟制御機制御回路４０へと出力する。
【００３０】
全ての棟制御機４ａ、４ａ、・・・、４ｂ、４ｂ、・・・は、集中制御機７を介して伝送されてきた集中集合玄関機６ａからの呼出信号Ｓ1aおよび映像信号Ｓ2aのうち、呼出信号Ｓ1aに付加されている棟制御機番号と自棟制御機に割り当てられている棟制御機番号とを照合し、一致した場合には自棟制御機に接続されている当該居室親機の居室番号と呼出信号Ｓ1aに同様に付加されている居室番号とを照合する。ここでは、Ａ棟２階フロアに設置された棟制御機４ａのみ当該棟制御機番号および居室番号が一致し、この棟制御機４ａの棟制御機制御回路４０は、通信回路４１に居室親機ラインＬ1aを介して接続されている同一階全ての居室親機１ａ、１ａ、・・・へと呼出信号Ｓ1aおよび映像信号Ｓ2aを出力する。
【００３１】
Ａ棟２階全ての住戸内にそれぞれ設置された居室親機１ａ、１ａ、・・・では、集中制御機７を介して伝送されてきた集中集合玄関機６ａからの呼出信号Ｓ1aおよび映像信号Ｓ2aのうち、呼出信号Ｓ1aに付加されている居室番号と自居室親機に割り当てられている居室番号とを照合し、一致した場合には呼出音を放音させる等の所定の呼出報知を行うとともに、当該居室親機の出画機能が能動である場合には、映像信号Ｓ2aをなす集中集合玄関機６ａの撮像部６２にて撮像された映像、すなわち、Ａ棟エントランスにて呼出操作を行った来訪者の映像（Ａ棟エントランスの周囲近傍の映像を含む。）を表示させる。ここでは、Ａ棟２０１号室内に設置された居室親機１ａのみ当該居室番号が一致し、前述の呼出報知や映像の表示が行われる。
【００３２】
この後、Ａ棟２０１号室内に在室中の居住者が呼出元の来訪者との間で通話を成立させるために居室親機１ａにて所定の応答操作を行うと、この応答操作を検出した居室親機１ａの制御機能（詳述せず）および集中集合玄関機６ａの集中集合玄関機制御回路６４の制御（詳述せず）により、呼出先であるＡ棟２０１号室内に設置された居室親機１ａが有する所定の通話機能（詳述せず）と集中集合玄関機６ａの通話部６３との間の通話路が形成され、形成された通話路を介して音声信号を送受信させることで通話が成立する。
【００３３】
また、Ａ棟２０１号室内に在室中の居住者が居室親機１ａにて所定の解錠操作を行うことにより、この解錠操作を検出した居室親機１ａの制御機能（詳述せず）は、Ａ棟エントランスドア５ａの電気錠５０を解錠させるためのエントランスドア解錠信号Ｓ3aを生成する。このエントランスドア解錠信号Ｓ3aは、前述の呼出信号Ｓ1aおよび映像信号Ｓ2aと逆の経路を介して集中集合玄関機６ａの集中集合玄関機制御回路６４へと伝送される。
【００３４】
集合集合玄関機６ａの集中集合玄関機制御回路６４は、Ａ棟２０１号室内に設置された居室親機１ａからのエントランスドア解錠信号Ｓ3aを検出すると、通信回路６５、エントランスドアラインＬ4aを介して接続されたエントランスドア５ａの電気錠５０を解錠制御することにより、集中集合玄関機６ａにて呼出操作を行った来訪者は、電気錠５０が解錠されたエントランスドア５ａを介してＡ棟内に入り、エレベータ等の移送手段を使用して呼出先の居住者と同一のフロア、すなわち、２階まで赴いた後、必要に応じて２階フロアに設置された棟集合玄関機３ａの操作部３０にて呼出操作を行う。
【００３５】
次に、前述までの説明と同様、図４（ａ）のテーブル説明図に示す設定情報が図２のブロック図に示す集中制御機７の記憶部７０に予め記憶されている状態において、第１の実施例における第２の呼出動作として、各棟（Ａ棟、Ｂ棟）のうち、ここでは、Ｂ棟エントランスに居る来訪者が所望の居住者を呼び出す、例えば、Ａ棟２０１号室内に在室中の居住者を呼び出すにあたり、集中集合玄関機６ｂの操作部６０を使用して所定の呼出操作を行う、例えば、操作部６０を構成するキーボタン（図示せず）を操作して呼出先の住戸の棟番号および居室番号を入力すると、これらの操作情報が集中集合玄関機制御回路６４の制御により表示部６１に表示される。また、操作部６０にて呼出操作を行った来訪者は、表示部６１の表示内容を確認した後、同様に操作部６０を構成する呼出ボタン（図示せず）を押下する。さらに、前述までの呼出操作を検出した集中玄関機制御回路６４では、操作部６０の操作情報である棟番号および居室番号に自集中集合玄関機に割り当てられている集中集合玄関機番号を付加させた呼出信号Ｓ1bを生成する。この呼出信号1bは、集中集合玄関機制御回路６４から通信回路６６、集中集合玄関機ラインＬ6b、集中制御機７の通信回路７３を介して集中玄関機制御回路７１へと伝送される。
【００３６】
また、集中集合玄関機６ｂにおいて、操作部６０にて行われた来訪者による前述までの呼出操作を検出した集中集合玄関機制御回路６４は、撮像部６２が能動となるように制御し、呼出操作を行った来訪者（Ｂ棟エントランスの周囲近傍を含む。）の映像の撮像を開始させる。この撮像部６２にて撮像された映像は、適宜、信号処理された映像信号Ｓ2bとして、前述の呼出信号Ｓ1bと同様な経路を介して集中制御機７の集中制御機制御回路７１へと伝送される。
【００３７】
集中制御機７の集中制御機制御回路７１は、集中集合玄関機６ｂからの呼出信号Ｓ1bおよび映像信号Ｓ2bのうち、呼出信号Ｓ1bに付加されている棟番号、居室番号および集中集合玄関機番号をもとに、Ｂ棟エントランスに居る来訪者によりＡ棟２０１号室内に在室中の居住者への呼び出しがあることを検出するとともに、呼出先の居住者の住戸であるＡ棟２０１号室内に設置された居室親機１ａを制御するＡ棟２階フロアに設置された棟制御機４ａが集中集合玄関機６ｂから予め定められた当該居室親機への呼び出しの対象として許可されているか否かについて、記憶部７０に予め記憶されている設定情報を確認する。ここでは、図４（ａ）のテーブル説明図に示すように、Ａ棟２０１号室内に設置された居室親機１ａを制御するＡ棟２階フロアに設置された棟制御機４ａが集中集合玄関機６ｂから予め定められた当該居室親機への呼び出しの対象として一致せず拒否されていることにより、これを検出した集中制御機制御回路７１は、Ｂ棟エントランスに居る来訪者からの呼び出しが拒否された旨を当該来訪者に報知するための呼出拒否信号Ｓ3bを生成する。この呼出拒否信号Ｓ3bは、前述の呼出信号Ｓ1bおよび映像信号Ｓ2bと逆の経路を介して集中集合玄関機６ｂの集中集合玄関機制御回路６４へと伝送される。
【００３８】
集中集合玄関機６ｂの集中集合玄関機制御回路６４は、集中制御機７からの呼出拒否信号Ｓ3bをもとに、呼出先の居住者の住戸であるＡ棟２０１号室内に設置された居室親機１ａを制御するＡ棟２階フロアに設置された棟制御機４ａが集中集合玄関機６ｂから予め定められた当該居室親機への呼び出しの対象として一致せず拒否されていることを検出し、その旨の内容について報知部を構成する表示部６１および通話部６３を使用して来訪者に報知する。例えば、Ｂ棟エントランスにて呼出操作を行った来訪者に対して正しいエントランスの位置であるＡ棟エントランスへと移動させ、集中集合玄関機６ａの操作部６０にて、Ａ棟２０１号室内に在室中の居住者を呼び出すための呼出操作を行うように促すことができる。
【００３９】
なお、前述までの説明から明らかなように、本発明の第１の実施例によれば、集中集合玄関機６ａ、６ｂから予め定められた居室親機１ａ、１ａ、・・・、１ｂ、１ｂ、・・・への呼び出しの対象として許可する棟制御機４ａ、４ａ、・・・、４ｂ、４ｂ、・・・の設定情報を記憶するための当該記憶部を、記憶部７０として集中制御機７に備えた場合について説明したが、この態様に限定されず、集中制御機７に代えて棟制御機４ａ、４ａ、・・・、４ｂ、４ｂ、・・・に記憶部４４として備えることができる。
【００４０】
ここで、棟制御機４ａ、４ａ、・・・、４ｂ、４ｂ、・・・のうち、Ａ棟２階フロアに設置された棟制御機４ａの棟制御機制御回路４０では、集中集合玄関機６ａからの呼出信号Ｓ1aに付加されている棟番号、居室番号および集中集合玄関機番号をもとに、Ａ棟エントランスに居る来訪者によりＡ棟２０１号室内に在室中の居住者への呼び出しがあることを検出するとともに、呼出先の居住者の住戸であるＡ棟２０１号室内に設置された居室親機１ａを制御する自棟制御機が集中集合玄関機６ａから予め定められた当該居室親機への呼び出しの対象として許可されていることを記憶部４４に予め記憶されている図４（ａ）のテーブル説明図に示す設定情報をもとに確認することができる。一方、集中集合玄関機６ｂからの呼出信号Ｓ1bに付加されている棟番号、居室番号および集中集合玄関機番号をもとに、Ｂ棟エントランスに居る来訪者によりＡ棟２０１号室内に在室中の居住者への呼び出しがあることを検出するとともに、呼出先の居住者の住戸であるＡ棟２０１号室内に設置された居室親機１ａを制御する自棟制御機が集中集合玄関機６ｂから予め定められた当該居室親機への呼び出しの対象として一致せず拒否されていることを記憶部４４に予め記憶されている図４（ａ）のテーブル説明図に示す設定情報をもとに確認することができる。
［第２の実施例］
図３は、本発明の第２の実施例による集合住宅インターホンシステムの具体的な構成を示すブロック図である。
【００４１】
なお、第２の実施例において、前述までの第１の実施例と同様な作用を有する構成各部／回路については、同一な符号を付与して具体的な説明は省略する。
【００４２】
図３のブロック図において、棟集合玄関機３ａ、３ａ、・・・、３ｂ、３ｂ、・・・はそれぞれ同様な構成であり、操作部３０、表示部（報知部）３１、撮像部３２、通話部（報知部）３３、棟集合玄関機制御回路３４、通信回路３５、３６を有している。
【００４３】
また、棟制御機４ａ、４ａ、・・・、４ｂ、４ｂ、・・・はそれぞれ同様な構成であり当該棟制御機の構成各部／回路をそれぞれ制御するとともに、棟集合玄関機３ａ、３ａ、・・・、３ｂ、３ｂ、・・・または集中集合玄関機６ａ、６ｂからの呼び出しの対象として許可する居室親機１ａ、１ａ、・・・、１ｂ、１ｂ、・・・の設定情報、例えば、当該居室親機に割り当てられた居室番号を記憶するためのＲＯＭ、ＲＡＭ、ＥＥＰＲＯＭ等の記憶部４５と、当該棟制御機の構成各部をそれぞれ制御するとともに、記憶部４５に記憶された設定情報をもとに、棟集合玄関機３ａ、３ａ、・・・、３ｂ、３ｂ、・・・または集中集合玄関機６ａ、６ｂからの呼び出しの対象として許可された居室親機１ａ、１ａ、・・・、１ｂ、１ｂ、・・・にのみ来訪者からの呼び出しを報知する一方、棟集合玄関機３ａ、３ａ、・・・、３ｂ、３ｂ、・・・からの呼び出しの対象として居室親機１ａ、１ａ、・・・、１ｂ、１ｂ、・・・が不一致のとき、来訪者からの呼び出しが拒否されたことを当該棟集合玄関機にて当該来訪者に報知するための棟制御機制御回路４０と、棟制御機制御回路４０および居室親機ラインＬ1a、Ｌ1a、・・・、Ｌ1b、Ｌ1b、・・・の間の信号伝送路を形成するための通信回路４１と、棟制御機制御回路４０および棟集合玄関機ラインＬ3a、Ｌ3a、・・・、Ｌ3b、Ｌ3b、・・・の間の信号伝送路を形成するための通信回路４２と、棟制御機制御回路４０および棟制御機ラインＬ5の間の信号伝送路を形成するための通信回路４３とを有している。
【００４４】
また、集中集合玄関機６ａ、６ｂはそれぞれ同様な構成であり、操作部６０、表示部（報知部）６１、撮像部６２、通話部（報知部）６３、集中集合玄関機制御回路６４、通信回路６５、６６を有している。
【００４５】
さらに、集中制御機７は、当該集中制御機の構成各部／回路をそれぞれ制御するとともに、集中集合玄関機６ａ、６ｂからの呼び出しの対象が棟制御機４ａ、４ａ、・・・、４ｂ、４ｂ、・・・の記憶部４５に記憶された設定情報と不一致のとき、来訪者からの呼び出しが拒否されたことを集中集合玄関機６ａ、６ｂの報知部を構成する表示部６１および通話部６３を使用して当該来訪者に報知するための集中制御機制御回路７１と、集中制御機制御回路７１および棟制御機ラインＬ5の間の信号伝送路を形成するための通信回路７２と、集中制御機制御回路７１および集中集合玄関機ラインＬ6a、Ｌ6bの間の信号伝送路を形成するための通信回路７３とを有している。
【００４６】
このように構成された本発明の第２の実施例による集合住宅インターホンシステムにおいて、以下、具体的な動作について図１のシステム説明図、図３のブロック図および図４（ｂ）のテーブル説明図をそれぞれ参照して説明する。なお、第２の実施例の具体的な動作を説明するにあたり送受信される各種の信号は、図３のブロック図にのみ記載するものとする。
【００４７】
また、図４（ｂ）のテーブル説明図とは、棟制御機４ａ、４ａ、・・・、４ｂ、４ｂ、・・・の記憶部４５に記憶される設定情報、すなわち、棟集合玄関機３ａ、３ａ、・・・、３ｂ、３ｂ、・・・または集中集合玄関機６ａ、６ｂからの呼び出しの対象として許可された居室親機１ａ、１ａ、・・・、１ｂ、１ｂ、・・・の設定情報の一例を示すものであり、この設定情報は任意に変更可能である。
【００４８】
次に、図４（ｂ）のテーブル説明図に示す設定情報が図３のブロック図に示す棟制御機４ａ、４ａ、・・・、４ｂ、４ｂ、・・・の記憶部４５に予め記憶されている状態において、第２の実施例における第１の呼出動作として、各棟（Ａ棟、Ｂ棟）フロアのうち、ここでは、Ａ棟２階フロアに居る来訪者が所望の居住者を呼び出す、例えば、Ａ棟２０１号室内に在室中の居住者を呼び出すにあたり、棟集合玄関機３ａの操作部３０を使用して所定の呼出操作を行う、例えば、操作部３０を構成するキーボタン（図示せず）を操作して呼出先の住戸の居室番号を入力すると、この操作情報が棟集合玄関機制御回路３４の制御により表示部３１に表示される。また、操作部３０にて呼出操作を行った来訪者は、表示部３１の表示内容を確認した後、同様に操作部３０を構成する呼出ボタン（図示せず）を押下する。さらに、前述までの呼出操作を検出した棟集合玄関機制御回路３４では、操作部３０の操作情報である居室番号に自棟集合玄関機に割り当てられている棟集合玄関機番号を付加させた呼出信号Ｓ11aを生成する。この呼出信号Ｓ11aは、棟集合玄関機制御回路３４から通信回路３６、棟集合玄関機ラインＬ3a、Ａ棟２階フロアに設置された棟制御機４ａの通信回路４２を介して棟制御機制御回路４０へと伝送される。
【００４９】
また、Ａ棟２階フロアに設置された棟集合玄関機３ａにおいて、操作部３０にて行われた来訪者による前述までの呼出操作を検出した棟集合玄関機制御回路３４は、撮像部３２が能動となるように制御し、呼出操作を行った来訪者（Ａ棟２階フロアの周囲近傍を含む。）の映像の撮像を開始させる。この撮像部３２にて撮像された映像は、適宜、信号処理された映像信号Ｓ12aとして、前述の呼出信号Ｓ11aと同様な経路を介してＡ棟２階フロアに設置された棟制御機４ａの棟制御機制御回路４０へと伝送される。
【００５０】
Ａ棟２階フロアに設置された棟制御機４ａの棟制御機制御回路４０は、棟集合玄関機３ａからの呼出信号Ｓ11aおよび映像信号Ｓ12aのうち、呼出信号Ｓ11aに付加されている居室番号および棟集合玄関機番号をもとに、Ａ棟２階フロアに居る来訪者によりＡ棟２０１号室内に在室中の居住者への呼び出しがあることを検出するとともに、呼出元であるＡ棟２階フロアに設置された棟集合玄関機３ａからの呼び出しの対象としてＡ棟２０１号室内に設置された居室親機１ａが許可されているか否かについて、記憶部４５に予め記憶されている設定情報を確認する。ここでは、図４（ｂ）のテーブル説明図に示すように、Ａ棟２階フロアに設置された棟集合玄関機３ａからの呼び出しの対象としてＡ棟２０１号室内に設置された居室親機１ａが許可されていることにより、これを検出した棟制御機制御回路４０は、棟集合玄関機３ａからの呼出信号Ｓ11aおよび映像信号Ｓ12aを通信回路４１、居室親機ラインＬ1a、Ａ棟２階全住戸の居室親機１ａ、１ａ、・・・へと出力する。
【００５１】
Ａ棟２階全ての住戸内にそれぞれ設置された居室親機１ａ、１ａ、・・・では、棟集合玄関機３ａからの呼出信号Ｓ11aおよび映像信号Ｓ12aのうち、呼出信号Ｓ11aに付加されている居室番号と自居室親機に割り当てられられている居室番号とを照合し、一致した場合には呼出音を放音させる等の所定の呼出報知を行うとともに、当該居室親機の出画機能が能動である場合には、映像信号Ｓ12aをなすＡ棟２階フロアに設置された棟集合玄関機３ａの撮像部３２にて撮像された映像、すなわち、Ａ棟２階フロアにて呼出操作を行った来訪者の映像（Ａ棟２階フロアの周囲近傍の映像を含む。）を表示させる。ここでは、Ａ棟２階全ての住戸のうち２０１号室内に設置された居室親機１ａのみ当該居室番号が一致し、前述の呼出報知や映像の表示が行われる。
【００５２】
この後、Ａ棟２０１号室内に在室中の居住者が居室親機１ａにて所定の応答操作を行うと、この応答操作を検出した居室親機１ａの制御機能（詳述せず）およびＡ棟２階フロアに設置された棟集合玄関機３ａの棟集合玄関機制御回路３４の制御（詳述せず）により、呼出先であるＡ棟２０１号室内に設置された居室親機１ａが有する所定の通話機能（詳述せず）とＡ棟２階フロアに設置された棟集合玄関機３ａの通話部３３との間の通話路が形成され、形成された通話路を介して音声信号を送受信させることで通話が成立する。
【００５３】
また、Ａ棟２０１号室内に在室中の居住者は、居室親機１ａにて所定の解錠操作を行うことにより、この解錠操作を検出した居室親機１ａの制御機能は、Ａ棟２階のフロアドア２ａの電気錠２０を解錠させるためのフロアドア解錠信号Ｓ13aを生成する。このフロアドア解錠信号Ｓ13aは、前述の呼出信号Ｓ11aおよび映像信号Ｓ12aと逆の経路を介してＡ棟２階フロアに設置された棟集合玄関機３ａの棟集合玄関機制御回路３４へと伝送される。
【００５４】
Ａ棟２階フロアに設置された棟集合集合玄関機３ａの棟集合玄関機制御回路３４は、Ａ棟２０１号室内に設置された居室親機１ａからのフロアドア解錠信号Ｓ13aを検出すると、通信回路３５、フロアドアラインＬ2aを介して接続されたフロアドア２ａの電気錠２０を解錠制御することにより、Ａ棟２階フロアに設置された棟集合集合玄関機にて呼出操作を行った来訪者は、電気錠２０が解錠されたフロアドア２ａを介してＡ棟２階のフロア内に入り、呼出先であるＡ棟２０１号室へと赴くことができる。
【００５５】
次に、前述までの説明と同様、図４（ｂ）のテーブル説明図に示す設定情報が図３のブロック図に示す棟制御機４ａ、４ａ、・・・、４ｂ、４ｂ、・・・の記憶部４５に予め記憶されている状態において、第２の実施例における第２の呼出動作として、各棟（Ａ棟、Ｂ棟）のうち、ここでは、Ｂ棟２階フロアに居る来訪者が所望の居住者を呼び出す、例えば、Ａ棟３０１号室内に在室中の居住者を呼び出すにあたり、Ｂ棟２階フロアに設置された棟集合玄関機３ｂの操作部３０を使用して所定の呼出操作を行う、例えば、操作部３０を構成するキーボタン（図示せず）を操作して呼出先の住戸の棟番号および居室番号を入力すると、これらの操作情報が棟集合玄関機制御回路３４の制御により表示部３１に表示される。また、操作部３０にて呼出操作を行った来訪者は、表示部３１の表示内容を確認した後、同様に操作部３０を構成する呼出ボタン（図示せず）を押下する。さらに、前述までの呼出操作を検出した棟集合玄関機制御回路３４では、操作部３０の操作情報である棟番号および居室番号に自棟集合玄関機に割り当てられている棟集合玄関機番号を付加させた呼出信号Ｓ11bを生成する。この呼出信号Ｓ11bは、棟集合玄関機制御回路３４から通信回路３６、棟集合玄関機ラインＬ3a、Ｂ棟２階フロアに設置された棟制御機４ｂの通信回路４２を介して棟制御機制御回路４０へと伝送される。
【００５６】
また、Ｂ棟２階フロアに設置された棟集合玄関機３ｂにおいて、操作部３０にて行われた来訪者による前述までの呼出操作を検出した棟集合玄関機制御回路３４は、撮像部３２が能動となるように制御し、呼出操作を行った来訪者（Ｂ棟２階フロアの周囲近傍を含む。）の映像の撮像を開始させる。この撮像部３２にて撮像された映像は、適宜、信号処理された映像信号Ｓ12bとして、前述の呼出信号Ｓ11bと同様な経路を介してＢ棟２階フロアに設置された棟制御機４ｂの棟制御機制御回路４０へと伝送される。
【００５７】
Ｂ棟２階フロアに設置された棟制御機４ｂの棟制御機制御回路４０は、棟集合玄関機３ｂからの呼出信号Ｓ11bおよび映像信号Ｓ12bのうち、呼出信号Ｓ11bに付加されている棟番号、居室番号および集中集合玄関機番号をもとに、Ｂ棟２階フロアに居る来訪者によりＡ棟３０１号室内に在室中の居住者への呼び出しがあること検出するとともに、呼出元であるＢ棟２階フロアに設置された棟集合玄関機３ｂからの呼び出しの対象としてＡ棟３０１号室内に設置された居室親機１ａが許可されているか否かについて、記憶部４５に予め記憶されている設定情報を確認する。ここでは、図４（ｂ）のテーブル説明図に示すように、Ｂ棟２階フロアに設置された棟集合玄関機３ｂからの呼び出しの対象としてＡ棟３０１号室内に設置された居室親機１ａが一致せず拒否されていることにより、これを検出した棟制御機制御回路４０は、Ｂ棟２階フロアに居る来訪者からの呼び出しが拒否された旨を当該来訪者に報知するための呼出拒否信号Ｓ13bを生成する。この呼出拒否信号Ｓ13bは、前述の呼出信号Ｓ11bおよび映像信号Ｓ12bと逆の経路を介してＢ棟２階フロアに設置された棟集合玄関機３ｂの棟集合玄関機制御回路３４へと伝送される。
【００５８】
Ｂ棟２階フロアに設置された棟集合玄関機３ｂの棟集合玄関機制御回路３４は、Ｂ棟２階フロアに設置された棟制御機４ｂからの呼出拒否信号Ｓ13bをもとに、呼出先の居住者の住戸であるＡ棟３０１号室内に設置された居室親機１ａがＢ棟２階フロアに設置された棟集合玄関機３ｂからの呼び出しの対象と一致せず拒否されていることを検出し、その旨の内容について報知部を構成する表示部３１および通話部３３を使用して来訪者に報知する。例えば、Ｂ棟２階フロアにて呼出操作を行った来訪者に対して正しいフロア、例えば、Ａ棟２階のフロアへと移動させ、このフロアに設置された棟集合玄関機３ａの操作部３０にて、Ａ棟３０１号室内に在室中の居住者を呼び出すための呼出操作を行うように促すことができる。
【００５９】
次に、前述までの動作と同様、図４（ｂ）のテーブル説明図に示す設定情報が図３のブロック図に示す棟制御機４ａ、４ａ、・・・、４ｂ、４ｂ、・・・の記憶部４５に予め記憶されている状態において、第２の実施例における第３の呼出動作として、各棟（Ａ棟、Ｂ棟）のうち、ここでは、Ａ棟エントランスに居る来訪者が所望の居住者を呼び出す、例えば、Ａ棟２０１号室内に在室中の居住者を呼び出すにあたり、集中集合玄関機６ａの操作部６０を使用して所定の呼出操作を行う、例えば、操作部６０を構成するキーボタン（図示せず）を操作して呼出先の住戸の棟番号および居室番号を入力すると、これらの操作情報が前述の第１の実施例における第１の呼出動作と同様、集中集合玄関機制御回路６４の制御により表示部６１に表示される。また、操作部６０にて呼出操作を行った来訪者は、表示部６１の表示内容を確認した後、同様に操作部６０を構成する呼出ボタン（図示せず）を押下する。さらに、前述までの呼出操作を検出した集中集合玄関機制御回路６４では、操作部６０の操作情報である棟番号および居室番号に自集中集合玄関機に割り当てられている集中集合玄関機番号を付加させた呼出信号Ｓ21aを生成する。この呼出信号Ｓ21aは、集中集合玄関機制御回路６４から通信回路６６、集中集合玄関機ラインＬ6a、集中制御機７の通信回路７３、集中制御機制御回路７１、通信回路７２、棟制御機ラインＬ5、全ての棟制御機４ａ、４ａ、・・・、４ｂ、４ｂ、・・・の通信回路４３を介して棟制御機制御回路４０へと伝送される。
【００６０】
また、集中集合玄関機６ａにおいて、操作部６０にて行われた来訪者による前述までの呼出操作を検出した集中集合玄関機制御回路６４は、前述の第１の実施例における第１の呼出動作と同様、撮像部６２が能動となるように制御し、呼出操作を行った来訪者（Ａ棟エントランスの周囲近傍を含む。）の映像の撮像を開始させる。この撮像部６２にて撮像された映像は、適宜、信号処理された映像信号Ｓ22aとして、前述の呼出信号Ｓ21aと同様な経路を介して全ての棟制御機４ａ、４ａ、・・・、４ｂ、４ｂ、・・・の棟制御機制御回路４０へと伝送される。
【００６１】
全ての棟制御機４ａ、４ａ、・・・、４ｂ、４ｂ、・・・の棟制御機制御回路４０は、集中集合玄関機６ａからの呼出信号Ｓ21aおよび映像信号Ｓ22aのうち、呼出信号Ｓ21aに付加されている棟番号、居室番号および集中集合玄関機番号をもとに、Ａ棟エントランスに居る来訪者によりＡ棟２０１号室内に在室中の居住者への呼び出しがあることを検出するとともに、集中集合玄関機６ａからの呼び出しの対象としてＡ棟２０１号室内に設置された居室親機１ａが許可されているか否かについて、記憶部４５に予め記憶されている設定情報を確認する。ここでは、Ａ棟２階フロアに設置された棟制御機４ａのみがＡ棟２０１号室内に設置された居室親機１ａを制御する当該棟制御機であり、図４（ｂ）のテーブル説明図に示すように、Ａ棟２０１号室内に設置された居室親機１ａが集中集合玄関機６ａからの呼び出しの対象として許可されていることにより、これを検出したＡ棟２階フロアに設置された棟制御機４ａの棟制御機制御回路４０は、集中集合玄関機６ａからの呼出信号Ｓ21aおよび映像信号Ｓ22aを通信回路４１、居室親機ラインＬ1aを介して接続されている同一階全ての居室親機１ａ、１ａ、・・・へと出力する。
【００６２】
Ａ棟２階全ての住戸内にそれぞれ設置された居室親機１ａ、１ａ、・・・では、集中集合玄関機６ａからの呼出信号Ｓ21aおよび映像信号Ｓ22aのうち、呼出信号Ｓ21aに付加されている居室番号と自居室親機に割り当てられている居室番号とを照合し、一致した場合には前述の第１の実施例における第１の呼出動作と同様、呼出音を放音させる等の所定の呼出報知を行うとともに、当該居室親機の出画機能が能動である場合には、映像信号Ｓ22aをなす集中集合玄関機６ａの撮像部６２にて撮像された映像、すなわち、Ａ棟エントランスにて呼出操作を行った来訪者の映像（Ａ棟エントランスの周囲近傍の映像を含む。）を表示させる。ここでは、Ａ棟２０１号室内に設置された居室親機１ａのみ当該居室番号が一致し、前述の呼出報知や映像の表示が行われる。
【００６３】
この後、Ａ棟２０１号室内に在室中の居住者が呼出元の来訪者との間で通話を成立させるために居室親機１ａにて所定の応答操作を行うと、前述の前述の第１の実施例における第１の呼出動作と同様、この応答操作を検出した居室親機１ａの制御機能（詳述せず）および集中集合玄関機６ａの集中集合玄関機制御回路６４の制御（詳述せず）により、呼出先であるＡ棟２０１号室内に設置された居室親機１ａが有する所定の通話機能（詳述せず）と集中集合玄関機６ａの通話部６３との間の通話路が形成され、形成された通話路を介して音声信号を送受信させることで通話が成立する。
【００６４】
また、Ａ棟２０１号室内に在室中の居住者が居室親機１ａにて所定の解錠操作を行うことにより、この解錠操作を検出した居室親機１ａの制御機能（詳述せず）は、Ａ棟エントランスドア５ａの電気錠５０を解錠させるためのエントランスドア解錠信号Ｓ23aを生成する。このエントランスドア解錠信号Ｓ23aは、前述の呼出信号Ｓ21aおよび映像信号Ｓ22aと逆の経路を介して集中集合玄関機６ａの集中集合玄関機制御回路６４へと伝送される。
【００６５】
集合集合玄関機６ａの集中集合玄関機制御回路６４は、Ａ棟２０１号室内に設置された居室親機１ａからのエントランスドア解錠信号Ｓ23aを検出すると、通信回路６５、エントランスドアラインＬ4aを介して接続されたエントランスドア５ａの電気錠５０を解錠制御することにより、集中集合玄関機６ａにて呼出操作を行った来訪者は、前述の第１の実施例における第１の呼出動作と同様、電気錠５０が解錠されたエントランスドア５ａを介してＡ棟内に入り、エレベータ等の移送手段を使用して呼出先の居住者と同一のフロア、すなわち、２階まで赴いた後、必要に応じて２階フロアに設置された棟集合玄関機３ａの操作部３０にて呼出操作を行う。
【００６６】
次に、前述までの説明と同様、図４（ｂ）のテーブル説明図に示す設定情報が図３のブロック図に示す棟制御機４ａ、４ａ、・・・、４ｂ、４ｂ、・・・の記憶部４５に予め記憶されている状態において、第２の実施例における第４の呼出動作として、各棟（Ａ棟、Ｂ棟）のうち、ここでは、Ｂ棟エントランスに居る来訪者が所望の居住者を呼び出す、例えば、Ａ棟２０１号室内に在室中の居住者を呼び出すにあたり、集中集合玄関機６ｂの操作部６０を使用して所定の呼出操作を行う、例えば、操作部６０を構成するキーボタン（図示せず）を操作して呼出先の住戸の棟番号および居室番号を入力すると、これらの操作情報が前述の第１の実施例における第２の呼出動作と同様、集中集合玄関機制御回路６４の制御により表示部６１に表示される。また、操作部６０にて呼出操作を行った来訪者は、表示部６１の表示内容を確認した後、同様に操作部６０を構成する呼出ボタン（図示せず）を操作する。さらに、前述までの呼出操作を検出した集中玄関機制御回路６４では、操作部６０の操作情報である棟番号および居室番号に自集中集合玄関機に割り当てられている集中集合玄関機番号を付加させた呼出信号Ｓ21bを生成する。この呼出信号21bは、集中集合玄関機制御回路６４から通信回路６６、集中集合玄関機ラインＬ6b、集中制御機７の通信回路７３、集中玄関機制御回路７１、通信回路７２、棟制御機ラインＬ5、全ての棟制御機４ａ、４ａ、・・・、４ｂ、４ｂ、・・・の通信回路４３を介して棟制御機制御回路４０へと伝送される。
【００６７】
また、集中集合玄関機６ｂにおいて、操作部６０にて行われた来訪者による前述までの呼出操作を検出した集中集合玄関機制御回路６４は、前述の第１の実施例における第２の呼出動作と同様、撮像部６２が能動となるように制御し、呼出操作を行った来訪者（Ｂ棟エントランスの周囲近傍を含む。）の映像の撮像を開始させる。この撮像部６２にて撮像された映像は、適宜、信号処理された映像信号Ｓ22bとして、前述の呼出信号Ｓ21bと同様な経路を介して全ての棟制御機４ａ、４ａ、・・・、４ｂ、４ｂ、・・・の棟制御機制御回路４０へと伝送される。
【００６８】
全ての棟制御機４ａ、４ａ、・・・、４ｂ、４ｂ、・・・の棟制御機制御回路４０は、集中集合玄関機６ｂからの呼出信号Ｓ21bおよび映像信号Ｓ22bのうち、呼出信号Ｓ21bに付加されている棟番号、居室番号および集中集合玄関機番号をもとに、Ｂ棟エントランスに居る来訪者によりＡ棟２０１号室内に在室中の居住者への呼び出しがあることを検出するとともに、集中集合玄関機６ｂからの呼び出しの対象としてＡ棟２０１号室内に設置された居室親機１ｂが許可されているか否かについて、記憶部４５に予め記憶されている設定情報を確認する。ここでは、Ａ棟２階フロアに設置された棟制御機４ａのみがＡ棟２０１号室内に設置された居室親機１ａを制御する当該棟制御機であり、図４（ｂ）のテーブル説明図に示すように、Ａ棟２０１号室内に設置された居室親機１ａが集中集合玄関機６ｂからの呼び出しの対象として一致せず拒否されていることにより、これを検出したＡ棟２階フロアに設置された棟制御機４ａの棟制御機制御回路４０は、その旨の呼出拒否制御信号Ｓ23bを生成する。この呼出拒否制御信号Ｓ23bは、棟制御機制御回路４０から通信回路４３、棟制御機ラインＬ5、集中制御機７の通信回路７２を介して集中制御機制御回路７１へと伝送される。
【００６９】
集中制御機７の集中制御機制御回路７１は、Ａ棟２階フロアに設置された棟制御機４ａからの呼出拒否制御信号Ｓ23bをもとに、Ｂ棟エントランスに居る来訪者からの呼び出しが拒否された旨を当該来訪者に報知するための呼出拒否信号Ｓ24bを生成する。この呼出拒否信号Ｓ24bは、前述の呼出信号Ｓ21bおよび映像信号Ｓ22bと逆の経路を介して集中集合玄関機６ｂの集中集合玄関機制御回路６４へと伝送される。
【００７０】
集中集合玄関機６ｂの集中集合玄関機制御回路６４は、集中制御機７からの呼出拒否信号Ｓ24bをもとに、呼出先の居住者の住戸であるＡ棟２０１号室内に設置された居室親機１ａを制御するＡ棟２階フロアに設置された棟制御機４ａが集中集合玄関機６ｂから予め定められた当該居室親機への呼び出しの対象として一致せず拒否されていることを検出し、その旨の内容について報知部を構成する表示部６１および通話部６３を使用して来訪者に報知する。例えば、Ｂ棟エントランスにて呼出操作を行った来訪者に対して正しいエントランスの位置であるＡ棟エントランスへと移動させ、集中集合玄関機６ａの操作部６０にて、Ａ棟２０１号室内に在室中の居住者への呼び出しのための呼出操作を行うように促すことができる。
【００７１】
なお、前述までの説明から明らかなように、本発明の第２の実施例によれば、集中集合玄関機６ａ、６ｂからの呼び出しの対象として許可する居室親機１ａ、１ａ、・・・、１ｂ、１ｂ、・・・の設定情報を記憶するための当該記憶部を、記憶部４５として棟制御機４ａ、４ａ、・・・、４ｂ、４ｂ、・・・に備えた場合について説明したが、この態様に限定されず、棟制御機４ａ、４ａ、・・・、４ｂ、４ｂ、・・・に代えて集中制御機７に記憶部７４として備えることができる。
【００７２】
ここで、集中制御機７の集中制御機制御回路７１では、Ａ棟２階フロアに設置された棟集合玄関機３ａからの呼出信号Ｓ11aに付加されている棟番号、居室番号および棟集合玄関機番号をもとに、Ａ棟２階フロアに居る来訪者によりＡ棟３０１号室内に在室中の居住者への呼び出しがあることを検出するとともに、呼出先の居住者の住戸であるＡ棟３０１号室内に設置された居室親機１ａが集中集合玄関機６ａから予め定められた呼び出しの対象として許可されていることを記憶部７４に予め記憶されている図４（ｂ）のテーブル説明図に示す設定情報をもとに確認することができる。一方、Ｂ棟２階フロアに設置された棟集合玄関機３ｂからの呼出信号Ｓ11bに付加されている棟番号、居室番号および棟集合玄関機番号をもとに、Ｂ棟２階フロアに居る来訪者によりＡ棟３０１号室内に在室中の居住者への呼び出しがあることを検出するとともに、呼出先の居住者の住戸であるＡ棟３０１号室内に設置された居室親機１ａが集中集合玄関機６ｂから予め定められた呼び出しの対象として一致せず拒否されていることを記憶部７４に予め記憶されている図４（ｂ）のテーブル説明図に示す設定情報をもとに確認することができる。
【００７３】
また、集中制御機７の集中制御機制御回路７１では、集中集合玄関機６ａからの呼出信号Ｓ21aに付加されている棟番号、居室番号および集中集合玄関機番号をもとに、Ａ棟エントランスに居る来訪者によりＡ棟２０１号室内に在室中の居住者への呼び出しがあることを検出するとともに、呼出先の居住者の住戸であるＡ棟２０１号室内に設置された居室親機１ａが集中集合玄関機６ａから予め定められた呼び出しの対象として許可されていることを記憶部７４に予め記憶されている図４（ｂ）のテーブル説明図に示す設定情報をもとに確認することができる。一方、集中集合玄関機６ｂからの呼出信号Ｓ21bに付加されている棟番号、居室番号および集中集合玄関機番号をもとに、Ｂ棟エントランスに居る来訪者によりＡ棟２０１号室内に在室中の居住者への呼び出しがあることを検出するとともに、呼出先の居住者の住戸であるＡ棟２０１号室内に設置された居室親機１ａを制御する自棟制御機が集中集合玄関機６ｂからの呼び出しの対象として一致せず拒否されていることを記憶部７４に予め記憶されている図４（ｂ）のテーブル説明図に示す設定情報をもとに確認することができる。
【図面の簡単な説明】
【００７４】
【図１】図１は、本発明の第１、第２の各実施例による集合住宅インターホンシステムの全体構成を示すシステム説明図である。
【図２】図２は、本発明の第１の実施例による集合住宅インターホンシステムの具体的な構成を示すブロック図である。
【図３】図３は、本発明の第２の実施例による集合住宅インターホンシステムの具体的な構成を示すブロック図である。
【図４】図４（ａ）は、本発明の第１の実施例による集合住宅インターホンシステムに適用される設定情報の一例を示すテーブル説明図であり、図４（ｂ）は、本発明の第２の実施例による集合住宅インターホンシステムに適用される設定情報の一例を示すテーブル説明図である。
【符号の説明】
【００７５】
１ａ、１ａ、・・・、１ｂ、１ｂ、・・・ ……居室親機
２ａ、２ａ、・・・、２ｂ、２ｂ、・・・ ……フロアドア
２０……電気錠
３ａ、３ａ、・・・、３ｂ、３ｂ、・・・ ……棟集合玄関機
４ａ、４ａ、・・・、４ｂ、４ｂ、・・・ ……棟制御機
４０……棟制御機制御回路
４４、４５……記憶部
５ａ、５ｂ……エントランスドア
５０……電気錠
６ａ、６ａ、・・・、６ｂ、６ｂ、・・・ ……集中集合玄関機
７……集中制御機
７０、７４……記憶部
７１……集中制御機制御回路（制御回路）
【図１】
0004589184.tif 000002
【図２】
0004589184.tif 000003
【図３】
0004589184.tif 000004
【図４】
0004589184.tif 000005